(57)【特許請求の範囲】
【請求項１】
チャネル状態情報（ＣＳＩ）報告に適用されるべき平均化のタイプの指示および平均化するか否かの指示のうちの少なくともいずれかを基地局から受信することと、
１つまたはより多くのサブフレームにおいて受信される基準信号を測定することと、
前記平均化のタイプの前記指示および前記平均化するか否かの指示のうちの前記少なくともいずれかおよび前記基準信号の前記測定値に基づいてＣＳＩ報告を生成することと、
前記ＣＳＩ報告を送ることと、
を備える、ユーザ機器（ＵＥ）によるワイヤレス通信のための方法。
【請求項２】
前記平均化のタイプの前記指示は、時間領域平均化または周波数領域平均化のうちの少なくとも１つを指示する、請求項１に記載の方法。
【請求項３】
前記平均化のタイプの前記指示は、干渉平均化、チャネル平均化、信号対ノイズ比（ＳＮＲ）平均化、またはスペクトル効率平均化のうちの少なくとも１つの指示を備える、請求項１に記載の方法。
【請求項４】
前記平均化のタイプの前記指示および前記平均化するか否かの指示は、前記基地局からブロードキャストまたは専用シグナリングのうちの少なくとも１つを介して提供される、請求項１に記載の方法。
【請求項５】
異なる指示が、サブフレームの異なるサブセットに対して独立して適用されるべき異なる平均化のタイプに関して提供される、請求項１に記載の方法。
【請求項６】
ＣＳＩ報告に適用されるべき平均化のタイプの前記指示を前記基地局から受信することは、
報告プロセスを測定リソースの特定のセットと関連付けるためのシグナリングを、前記基地局から受信すること、
を備える、請求項１に記載の方法。
【請求項７】
チャネル状態情報（ＣＳＩ）報告に適用されるべき平均化のタイプの指示および平均化するか否かの指示のうちの少なくともいずれかをユーザ機器（ＵＥ）に送信することと、
前記平均化のタイプの前記指示および前記平均化するか否かの指示のうちの前記少なくともいずれかおよび基準信号測定値に基づいて生成されたＣＳＩ報告を前記ＵＥから受信することと、
を備える、基地局（ＢＳ）によるワイヤレス通信のための方法。
【請求項８】
前記平均化のタイプの前記指示は、時間領域平均化または周波数領域平均化のうちの少なくとも１つを指示する、請求項７に記載の方法。
【請求項９】
前記平均化のタイプの前記指示は、干渉平均化、チャネル平均化、信号対ノイズ比（ＳＮＲ）平均化、またはスペクトル効率平均化のうちの少なくとも１つの指示を備える、請求項７に記載の方法。
【請求項１０】
前記平均化のタイプの前記指示および前記平均化するか否かの指示は、前記基地局からブロードキャストまたは専用シグナリングの少なくとも１つを介して提供される、請求項７に記載の方法。
【請求項１１】
異なる指示が、サブフレームの異なるサブセットに独立して適用されるべき異なる平均化のタイプに提供される、請求項７に記載の方法。
【請求項１２】
ＣＳＩ報告に適用されるべき前記平均化のタイプの前記指示を送信することは、
報告プロセスを測定リソースの特定のセットと関連付けるためのシグナリングを、前記ＵＥに送信すること、
を備える、請求項７に記載の方法。
【請求項１３】
チャネル状態情報（ＣＳＩ）報告に適用されるべき平均化のタイプの指示および平均化するか否かの指示のうちの少なくともいずれかを基地局から受信するための手段と、
１つまたはより多くのサブフレームにおいて受信される基準信号を測定するための手段と、
前記平均化のタイプの前記指示および前記平均化するか否かの指示のうちの前記少なくともいずれかおよび前記基準信号の前記測定値に基づいてＣＳＩ報告を生成するための手段と、
前記ＣＳＩ報告を送るための手段と、
を備える、ユーザ機器（ＵＥ）によるワイヤレス通信のための装置。
【請求項１４】
チャネル状態情報（ＣＳＩ）報告に適用されるべき平均化のタイプの指示および平均化するか否かの指示のうちの少なくともいずれかをチャネル状態情報（ＣＳＩ）報告に適用されるべき平均化のタイプの指示をユーザ機器（ＵＥ）に送信するための手段と、
前記平均化のタイプの前記指示および前記平均化するか否かの指示のうちの前記少なくともいずれかおよび基準信号測定値に基づいて生成されたＣＳＩ報告を前記ＵＥから受信するための手段と、
を備える、基地局（ＢＳ）によるワイヤレス通信の装置。
【請求項１５】
少なくとも１つのコンピュータに、実行されるとき請求項１から６、または請求項７から１２のうちの一項に記載の方法を実行させるための実行可能な命令を備える、コンピュータプログラム。
【発明の詳細な説明】
【優先権主張】
【０００１】
[0001]  本願は、２０１３年１月２５日に出願され、その全体において引用により本明細書に組み込まれる、米国仮特許出願番号第６１／７５６，９０１号の権利を主張する。
【技術分野】
【０００２】
[0002]  本開示のある特定の態様は、一般的にワイヤレス通信に関し、より詳細には、セル固有の基準信号（ＣＲＳ）干渉平均化に関する。
【背景技術】
【０００３】
[0003]  ワイヤレス通信システムは、音声、データ等のような様々なタイプの通信コンテンツを提供するために広く展開されている。これらのシステムには、利用可能なシステムリソース（例えば、帯域幅、および送信電力）を共有することによって多数のユーザとの通信をサポートすることができる多元接続システム（multiple-access systems）であり得る。このような多元接続システムの例は、符号分割多元接続（ＣＤＭＡ）システム、時分割多元接続（ＴＤＭＡ）システム、周波数分割多元接続（ＦＤＭＡ）システム、ロングタームエボリューション（ＬＴＥ）−アドバンストを含む第３世代パートナーシッププロジェクト（３ＧＰＰ）ＬＴＥ、および直交周波数分割多元接続（ＯＦＤＭＡ）システムを含む。
【０００４】
[0004]  一般的に、ワイヤレス多元接続通信システムは、複数のワイヤレス端末のための通信を同時にサポートすることができる。各端末は、フォワードおよびリバースリンクでの送信を介して１つまたはより多くの基地局と通信する。フォーワードリンク（またはダウンリンク）は、基地局から端末への通信リンクを指し、リバースリンク（またはアップリンク）は、端末から基地局への通信リンクを指す。この通信リンクは、単一入力単一出力、多入力単一出力、または多入力多出力（ＭＩＭＯ）システムを介して確立され得る。
【発明の概要】
【０００５】
[0005]  本開示のある態様は、一般的にワイヤレス通信に関し、より詳細には、セル固有参照信号（ＣＲＳ）干渉平均化に関する。
【０００６】
[0006]  本開示のある特定の態様は、ユーザ機器（ＵＥ）によるワイヤレス通信のための方法を提供する。該方法は、一般的に、チャネル状態情報（ＣＳＩ）報告に適用されるべき平均化のタイプの指示を基地局から受信することと、１つまたはより多くのサブフレームにおいて受信される基準信号を測定することと、指示された平均化のタイプおよび測定値に基づいてＣＳＩ報告を生成することと、および、ＣＳＩ報告を送ることとを含む。
【０００７】
[0007]  本開示のある特定の態様は、基地局（ＢＳ）によるワイヤレス通信のための方法を提供する。該方法は、一般的に、チャネル状態情報（ＣＳＩ）報告に適用されるべき平均化のタイプの指示をユーザ機器（ＵＥ）に送信することと、および、指示された平均化のタイプおよび基準信号測定値に基づいて生成されたＣＳＩ報告をＵＥから受信することとを含む。
【０００８】
[0008]  本開示のある特定の態様は、ユーザ機器（ＵＥ）によるワイヤレス通信のための装置を提供する。該装置は、一般的に、チャネル状態情報（ＣＳＩ）報告に適用されるべき平均化のタイプの指示を基地局から受信するための手段と、１つまたはより多くのサブフレームにおいて受信される基準信号を測定するための手段と、指示された平均化のタイプおよび測定値に基づいてＣＳＩ報告を生成するための手段と、および、前記ＣＳＩ報告を送るための手段とを含む。
【０００９】
[0009]  本開示のある特定の態様は、基地局（ＢＳ）によるワイヤレス通信のための装置を提供する。装置は、一般的に、チャネル状態情報（ＣＳＩ）報告に適用されるべき平均化のタイプの指示をユーザ機器（ＵＥ）に送信するための手段と、および、指示された平均化のタイプおよび基準信号測定値に基づいて生成されたＣＳＩ報告をＵＥから受信するための手段とを含む。
【００１０】
[0010]  本開示のある特定の態様はまた、上述のオペレーションを実行するための装置およびプログラム製品を提供する。
【００１１】
[0011]  本開示の様々な態様および特徴が、下記においてさらに詳細に説明される。
【図面の簡単な説明】
【００１２】
[0012]  本開示の以上に述べた特徴を詳細に理解できるように、上では簡潔に概要を述べた、より詳細な説明が、態様を参照して行われることができ、その態様のいくつかは、添付の図面に示されている。しかしながら、添付の図面に示されているのは、この開示のある特定の典型的な態様のみであるので、その範囲を限定するものと考えられるべきではないということに注意すべきである。というのも、この説明は、同様に効果的な他の態様にも認められ得るものだからである。
【図１】[0013]  図１は、本開示のある特定の態様にしたがう例示的なワイヤレス通信ネットワークを概念的に示すブロック図である。
【図２】[0014]  図２は、本開示のある特定の態様にしたがう、ワイヤレス通信ネットワークにおける、ユーザ機器（ＵＥ）と通信している発展型ノードＢ（ｅＮＢ）の例を概念的に示すブロック図である。
【図３】[0015]  図３は、本開示のある特定の態様にしたがう、ワイヤレス通信ネットワークにおける使用のための特定の無線アクセス技術（ＲＡＴ）のための例示的なフレーム構造を概念的に示すブロック図である。
【図４】[0016]  図４は、本開示のある特定の態様にしたがう、ノーマルサイクリックプレフィクス（ＣＰ）を有するダウンリンクのための例示的なサブフレームフォーマットを示す図である。
【図５】[0017]  図５は、本開示のある特定の態様にしたがって、チャネル状態情報（ＣＳＩ）フィルタリングにより達成される例示的な利得を示す図である。
【図６】[0017]  図６は、本開示のある特定の態様にしたがって、チャネル状態情報（ＣＳＩ）フィルタリングにより達成される例示的な利得を示す図である。
【図７】[0017]  図７は、本開示のある特定の態様にしたがって、チャネル状態情報（ＣＳＩ）フィルタリングにより達成される例示的な利得を示す図である。
【図８】[0017]  図８は、本開示のある特定の態様にしたがって、チャネル状態情報（ＣＳＩ）フィルタリングにより達成される例示的な利得を示す図である。
【図９】[0018]  図９は、本開示のある態様にしたがう、例示的なＣＱＩヒストグラムを示す図である。
【図１０】[0018]  図１０は、本開示のある態様にしたがう、例示的なＣＱＩヒストグラムを示す図である。
【図１１】[0019]  図１１は、本開示のある特定の態様にしたがって、ＵＥにより実行され得る例示的な動作を示す図である。
【図１２】[0020]  図１２は、本開示のある特定の態様にしたがって、基地局（ＢＳ）により実行され得る例示的な動作を示す図である。
【詳細な説明】
【００１３】
[0021]  本開示の態様は、ＣＳＩ報告プロセスに平均化を選択的に適用することによって、パフォーマンスを拡張するための技法および装置を提供する。ある特定の態様にしたがうと、送信機を潜在的に干渉するトラフィックパターンの知識を有する基地局（例えば、ｅＮＢ）は、例えば、干渉測定リソース（ＩＭＲ）に基づいてＣＳＩを報告するとき、平均化をどのように適用するか（または適用するか否か）をＵＥにシグナリングし得る。結果として、報告は、実際の干渉のより有用な測定を提供し得る。
【００１４】
[0022]  下記において、添付の図面を参照し、本開示の様々な態様がより十分に説明される。しかしながら、本開示は、多くの異なる形態で具現化されることができるものであり、この開示全体を通して提示される任意の特定の構成または機能に限定されるものと解釈されるべきではない。むしろ、これらの態様は、本開示が徹底的で完全であり、当業者に本開示の範囲を十分に伝えるように提供される。本明細書における教示に基づき、当業者は、ここに開示された開示の任意の態様が、本開示の任意の他の態様と独立して実現されようと、それらと組み合わされて実現されようと、本開示の範囲は、それらの態様をカバーすることを意図している、ということを理解すべきである。さらに、本開示の範囲は、他の構造、機能、または、本明細書に説明される開示のさまざまな態様に追加された、またはそれ以外の構造および機能を使用して実施される、そのような装置または方法をカバーするように意図されている。ここで開示される開示のいずれの態様も請求項の１つまたはより多くの要素によって具現化され得ることに留意されたい。
【００１５】
[0023]  「例示的」という用語は、本明細書では、「例、事例、または実例としての役割を果たす」という意味で用いられる。「例示的」なものとしてここに説明される任意の態様は、必ずしも、他の態様よりも好ましい、または利点を有するものと解釈されるべきではない。
【００１６】
[0024]  特定の態様がここに説明されるが、これらの態様の多くの変形および置換が、本開示の範囲内に含まれる。好ましい態様のいくつかの恩恵および利点が説明されるが、本開示の範囲は、特定の恩恵、使用、または目的に限定されることを意図しない。むしろ、本開示の態様は、異なるワイヤレス技術、システム構成、ネットワーク、および伝送プロトコルに広く適用可能であることが意図され、そのうちのいくつかは、図面および好ましい態様の下記の説明において、例として示されている。詳細な説明および図は、限定ではなく、本開示の単なる例示であり、本開示の範囲は、添付の特許請求の範囲およびそれらの均等物により規定されている。
【００１７】
[0025]  ここに説明される技法は、ＣＤＭＡ、ＴＤＭＡ、ＦＤＭＡ、ＯＦＤＭＡ、ＳＣ−ＦＤＭＡ、および他のネットワークのような様々なワイヤレス通信ネットワークのために使用され得る。「ネットワーク」および「システム」という用語は、しばしば同義で使用される。ＣＤＭＡネットワークは、ユニバーサル地上無線アクセス（ＵＴＲＡ）、ｃｄｍａ２０００等のような無線技術を実現し得る。ＵＴＲＡは、広帯域ＣＤＭＡ（Ｗ−ＣＤＭＡ（登録商標））およびＣＤＭＡのその他の変形を含む。ｃｄｍａ２０００は、ＩＳ−２０００、ＩＳ−９５およびＩＳ−８５６スタンダードをカバーする。ＴＤＭＡネットワークは、モバイル通信のためのグローバルシステム（ＧＳＭ（登録商標））のような無線技術を実現し得る。ＯＦＤＭＡネットワークは、発展型ＵＴＲＡ（Ｅ−ＵＴＲＡ）、ウルトラモバイルブロードバンド（ＵＭＢ）、ＩＥＥＥ ８０２．１１（Ｗｉ−Ｆｉ（登録商標））、ＩＥＥＥ ８０２．１６（ＷｉＭＡＸ（登録商標））、ＩＥＥＥ ８０２．２０、フラッシュ−ＯＦＤＭ（登録商標）等のような無線技術を実現し得る。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）およびＬＴＥアドバンスト（ＬＴＥ−Ａ）は、Ｅ−ＵＴＲＡを使用するＵＭＴＳの最新リリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）という名称の機関による文書中に記述されている。ｃｄｍａ２０００およびＵＭＢは、「第３世代パートナーシッププロジェクト２」（３ＧＰＰ２）という名称の機関による文書中に記述されている。
【００１８】
[0026]  シングルキャリア周波数分割多元接続（ＳＣ−ＦＤＭＡ）は、送信側においてシングルキャリア変調を、および受信側で周波数領域均等化を利用するための送信技法である。ＳＣ−ＦＤＭＡは、ＯＦＤＭＡシステムのものと類似した性能、および、本質的に同一の全体的な複雑性を有する。しかしながら、ＳＣ−ＦＤＭＡ信号は、この固有のシングルキャリア構造であるために、より低いピーク対平均電力比（ＰＡＰＲ）を有する。ＳＣ−ＦＤＭＡは、送信電力効率の観点において、より低いＰＡＰＲがモバイル端末に大いに有益となるアップリンク通信において、特に大きな注目を集めた。それは、現在、３ＧＰＰ ＬＴＥまたは発展型ＵＴＲＡにおける、アップリンク多元接続スキームに対しての動作仮説である。
【００１９】
[0027]  基地局（「ＢＳ」）は、ノードＢ、無線ネットワークコントローラ（「ＲＮＣ」）、発展型ノードＢ（ｅＮｏｄｅＢ）、基地局制御装置（「ＢＳＣ」）、基地トランシーバ局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、またはいくつかの他の用語を含むか、それらとして実現されるか、またはそれらとして知られている。
【００２０】
[0028]  ユーザ機器（「ＵＥ」）は、アクセス端末、加入者局、加入者ユニット、リモート局、リモート端末、移動局、ユーザエージェント、ユーザデバイス、ユーザ機器、ユーザ局、または何らかの他の専門用語を備えることができ、これらとして実現されることができ、または、これらとして周知であり得る。いくつかの実現において、移動局は、セルラー電話、コードレス電話、セッション開始プロトコル（「ＳＩＰ」）電話、無線ローカルループ（「ＷＬＬ」）局、携帯情報端末（「ＰＤＡ」）、無線接続能力を有するハンドヘルドデバイス、局（「ＳＴＡ」）、または無線モデムに接続された何らかの他の処理デバイスであることができる。したがって、ここで教示される１つまたはより多くの態様は、電話（例えば、セルラー電話またはスマートフォン）、コンピュータ（例えば、ラップトップ）、携帯型通信デバイス、携帯型コンピューティングデバイス（例えば、パーソナルデータアシスタント）、エンターテインメントデバイス（例えば、音楽またはビデオのデバイス、あるいは、衛星ラジオ）、グローバルポジショニングシステムデバイス、あるいは、ワイヤレスまたはワイヤード（Wired）の媒体を介して通信するように構成された他の何らかの適切なデバイス中に、組み込まれ得る。いくつかの態様では、ノードはワイヤレスノードである。そのようなワイヤレスノードは、例えば、ワイヤードまたはワイヤレス通信リンクを介した、ネットワーク（例えば、インターネットまたはセルラーネットワークのような広域ネットワーク）のための接続、またはネットワークまでの接続を提供し得る。
【００２１】
[0029]  ここに説明される技法は、他のワイヤレスネットワークおよび無線技術と同様に、上述されたワイヤレスネットワークおよび無線技術のために使用され得る。明確さのために、これらの技法のある特定の態様は、ＬＴＥに関して以下に説明され、また、以下の説明の多くで、ＬＴＥ用語が使用されている。
【００２２】
例示的なワイヤレス通信システム
[0030]  図１は、ＬＴＥネットワークまたは他の何らかのワイヤレスネットワークであり得るワイヤレス通信ネットワーク１００を示す。ワイヤレスネットワーク１００は、多数の発展型ノードＢ（ｅＮＢ）１１０および他のネットワークエンティティを含み得る。ｅＮＢは、ユーザ機器（ＵＥ）と通信するエンティティであり、基地局、ノードＢ、アクセスポイント（ＡＰ）等とも称され得る。各ｅＮＢは、特定の地理的エリアについての通信カバレッジを提供し得る。３ＧＰＰでは、「セル」という用語は、この用語が使用される文脈に応じて、ｅＮＢのカバレッジエリアおよび／またはこのカバレッジエリアにサービス提供するｅＮＢサブシステムのカバレッジエリアを指すことができる。
【００２３】
[0031]  ｅＮＢは、マクロセル、ピコセル、フェムトセル、および／または他のタイプのセルのための通信カバレッジを提供し得る。マクロセルは、比較的広い地理的エリア（例えば、半径数キロメートル）をカバーすることができ、サービスに加入しているＵＥによる無制限アクセスを可能にし得る。ピコセルは、比較的狭い地理的エリアをカバーすることができ、サービスに加入しているＵＥによる無制限アクセスを可能にすることができる。フェムトセルは、比較的狭い地理的エリア（例えば、住居）をカバーすることができ、このフェムトセルとの関連を有するＵＥ（例えば、限定加入者グループ（ＣＳＧ：Closed Subscriber Group）内のＵＥ）による制限されたアクセスを可能にすることができる。マクロセルのためのｅＮＢは、マクロｅＮＢと称され得る。ピコセルのためのｅＮＢは、ピコｅＮＢと称され得る。フェムトセルのためのｅＮＢは、フェムトｅＮＢまたはホームｅＮＢ（ＨｅＮＢ）とも称され得る。図１に示される例において、ｅＮＢ１１０ａは、マクロセル１０２ａのためのマクロｅＮＢであることができ、ｅＮＢ１１０ｂは、ピコセル１０２ｂのためのピコｅＮＢであることができ、ｅＮＢ１１０ｃは、フェムトセル１０２ｃのためのフェムトｅＮＢであることができる。ｅＮＢは、１つまたは多くの（例えば、３つの）セルをサポートし得る。用語「ｅＮＢ」、「基地局」および「セル」は、ここで区別なく使用され得る。
【００２４】
[0032]  ワイヤレスネットワーク１００は、中継局も含み得る。中継局は、アップストリーム局（例えば、ｅＮＢまたはＵＥ）からデータの送信を受信し、ダウンストリーム局（例えば、ＵＥまたはｅＮＢ）へデータの送信を送ることができるエンティティである。中継局はまた、他のＵＥのための送信を中継することができるＵＥであり得る。図１に示される例において、中継局１１０ｄは、ｅＮＢ１１０ａとＵＥ１２０ｄの間の通信を容易にするために、マクロｅＮＢ１１０ａおよびＵＥ１２０ｄと通信し得る。中継局は、また、中継ｅＮＢ、中継基地局、中継器（リレー、relay）、等、と称され得る。
【００２５】
[0033]  ワイヤレスネットワーク１００は、異なるタイプのｅＮＢ、例えば、マクロｅＮＢ、ピコｅＮＢ、フェムトｅＮＢ、中継ｅＮＢ等、を含む異種ネットワークであり得る。これらの異なるタイプのｅＮＢは、ワイヤレスネットワーク１００において、異なる送信電力レベル、異なるカバレッジエリア、および、干渉における異なる影響を有し得る。例えば、マクロｅＮＢは、高い送信電力レベル（例えば、５から４０Ｗ）を有し得るのに対し、ピコｅＮＢ、フェムトｅＮＢおよび中継ｅＮＢは、より低い送信電力レベル（例えば、０．１から２Ｗ）を有し得る。
【００２６】
[0034]  ネットワークコントローラ１３０は、ｅＮＢのセットに結合されることができ、これらのｅＮＢのための調整および制御を提供し得る。ネットワークコントローラ１３０は、バックホールを介してｅＮＢと通信し得る。ｅＮＢは、また、例えば、ワイヤレスまたはワイヤラインバックホールを介して直接的または間接的に、互いに通信し得る。
【００２７】
[0035]  ＵＥ１２０（例えば、１２０ａ、１２０ｂ、１２０ｃ）は、ワイヤレスネットワーク１００全体にわたって分布されることができ、各ＵＥは、固定式または移動式であることができる。ＵＥは、アクセス端末、端末、移動局（ＭＳ）、加入者ユニット、局（ＳＴＡ）等とも称され得る。ＵＥは、セルラー電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、タブレット、スマートフォン、ネットブック、スマートブック等であり得る。
【００２８】
[0036]  図２は、図１における基地局／ｅＮＢのうちの１つ、およびＵＥのうちの１つであり得る基地局／ｅＮＢ１１０およびＵＥ１２０の設計のブロック図である。基地局１１０には、Ｔ個のアンテナ２３４ａ〜２３４ｔが装備されることができ、ＵＥ１２０にはＲ個のアンテナ２５２ａ〜２５２ｒが装備されることができ、ここで、一般的に、Ｔ≧１およびＲ≧１である。
【００２９】
[0037]  基地局１１０では、送信プロセッサ２２０は、１つまたはより多くのＵＥのためのデータソース２１２からデータを受信し、ＵＥから受信されたチャネル品質インジケータ（ＣＱＩｓ：channel quality indicators）に基づいてＵＥごとに１つまたはより多くの変調符号化方式（ＭＣＳ）を選択し、ＵＥのために選択された（単数または複数の）ＭＣＳに基づいてＵＥごとのデータを処理（例えば、符号化および変調）し、全てのＵＥにデータシンボルを提供し得る。送信プロセッサ２２０はまた、（例えば、半静的リソース分割情報（ＳＲＰＩ）、等のための）システム情報と制御情報（例えば、ＣＱＩ要求、許可、上位レイヤのシグナリング等）を処理し、オーバーヘッドシンボルおよび制御シンボルを提供し得る。プロセッサ２２０はまた、基準信号（例えば、共通基準信号（ＣＲＳ））および同期信号（例えば、プライマリ同期信号（ＰＳＳ）およびセカンダリ同期信号（ＳＳＳ））に対する基準シンボルを生成し得る。送信（ＴＸ）多入力多出力（ＭＩＭＯ）プロセッサ２３０は、適用できる場合、データシンボル、制御シンボル、オーバーヘッドシンボル、および／または基準シンボルで空間処理（例えば、プリコーディング）を実行することができ、Ｔ個の変調器（ＭＯＤｓ）２３２ａ〜２３２ｔにＴ個の出力シンボルストリームを提供することができる。各変調器２３２は、（例えば、ＯＦＤＭ等のために）それぞれの出力シンボルストリームを処理し、出力サンプルストリームを取得し得る。各変調器２３２はさらに、出力サンプルストリームを処理（例えば、アナログ変換、増幅、フィルタリング、およびアップコンバート）し、ダウンリンク信号を取得し得る。変調器２３２ａ〜２３２ｔからのＴ個のダウンリンク信号は、それぞれ、Ｔ個のアンテナ２３４ａ〜２３４ｔを介して送信され得る。
【００３０】
[0038]  ＵＥ１２０では、アンテナ２５２ａ〜２５２ｒは、基地局１１０および／または他の基地局からのダウンリンク信号を受信することができ、復調器（ＤＥＭＯＤ）２５４ａ〜２５４ｒに受信された信号をそれぞれ提供し得る。各復調器２５４は、その受信された信号を調整（例えば、フィルタリング、増幅、ダウンコンバート、およびデジタル化）し、入力サンプルを取得し得る。各復調器２５４は、（例えば、ＯＦＤＭ等のために）入力サンプルを処理して、受信シンボルをさらに取得し得る。ＭＩＭＯ検出器２５６は、全てのＲ個の復調器２５４ａ〜２５４ｒから受信シンボルを取得し、適用可能な場合に、受信シンボル上でＭＩＭＯ検出を実行して、検出したシンボルを提供し得る。受信プロセッサ２５８は、検出されたシンボルを処理（例えば、復調および復号）し、データシンク２６０にＵＥ１２０のための復号されたデータを提供し、コントローラ／プロセッサ２８０に復号された制御情報およびシステム情報を提供し得る。チャネルプロセッサは、基準信号受信電力（ＲＳＲＰ）、受信信号強度インジケータ（ＲＳＲＩ）、基準信号受信品質（ＲＳＲＱ）、ＣＱＩ等を決定し得る。
【００３１】
[0039]  アップリンク上で、ＵＥ１２０では、送信プロセッサ２６４は、データソース２６２からデータを、およびコントローラ／プロセッサ２８０から（例えば、ＲＳＲＰ、ＲＳＳＩ、ＲＳＲＱ、ＣＱＩ等を含む報告のための）制御情報を受信し、処理し得る。プロセッサ２６４は、また、１つまたはより多くの基準信号のための基準シンボルを生成し得る。送信プロセッサ２６４からのシンボルは、適用できる場合、ＴＸ ＭＩＭＯプロセッサ２６６によってプリコーディングされ、（例えば、ＳＣ−ＦＤＭ、ＯＦＤＭ等のための）変調器２５４ａ〜２５４ｒによってさらに処理され、基地局１１０に送信され得る。基地局１１０では、ＵＥ１２０および他のＵＥからのアップリンク信号は、アンテナ２３４によって受信され、復調器２３２によって処理され、適用できる場合、ＭＩＭＯ検出器２３６によって検出され、ＵＥ１２０によって送られる復号されたデータおよび制御情報を取得するために受信プロセッサ２３８によってさらに処理され得る。プロセッサ２３８は、復号されたデータをデータシンク２３９に提供し、復号された制御情報をコントローラ／プロセッサ２４０に提供し得る。基地局１１０は、通信ユニット２４４を含み、通信ユニット２４４を介してネットワークコントローラ１３０に通信し得る。ネットワークコントローラ１３０は、通信ユニット２９４、コントローラ／プロセッサ２９０、およびメモリ２９２を含み得る。
【００３２】
[0040]  コントローラ／プロセッサ２４０および２８０は、それぞれ、基地局１１０およびＵＥ１２０におけるオペレーションを指示し得る。基地局１１０におけるプロセッサ２４０および／または他のプロセッサおよびモジュール、および／またはＵＥ１２０におけるプロセッサ２８０および／または他のプロセッサおよびモジュールは、ここに説明される技法のための処理を実行または指示し得る。メモリ２４２および２８２は、それぞれ、基地局１１０およびＵＥ１２０に対する、データおよびプログラムコードを記憶し得る。スケジューラ２４６は、ダウンリンクおよび／またはアップリンクでのデータ送信のためにＵＥをスケジューリングし得る。
【００３３】
[0041]  ＵＥ１２０にデータを送信するとき、基地局１１０は、データ割り当てサイズに少なくとも部分的に基づいてバンドリングサイズを決定し、決定されたバンドリングサイズのバンドルされた連続リソースブロックにおいてデータをプリコードするように構成されることができ、ここにおいて、各バンドルにおけるリソースブロックは、共通プリコーディングマトリックスでプリコードされ得る。つまり、リソースブロックにおけるＵＥ−ＲＳおよび／またはデータのような基準信号（ＲＳ）は、同一のプリコーダを使用してプリコードされ得る。バンドルされたリソースブロック（ＲＢ）の各ＲＢにおけるＵＥ−ＲＳのために使用される電力レベルも、同じであり得る。
【００３４】
[0042]  ＵＥ１２０は、基地局１１０から送信されたデータを復号するために相補処理（complementary processing）を実行するように構成され得る。例えば、ＵＥ１２０は、連続ＲＢのバンドルにおける基地局から送信された受信データのデータ割り当てサイズに基づいてバンドリングサイズを決定し、ここにおいて、各バンドルにおけるリソースブロックにおける少なくとも１つの基準信号は、共通プリコーディングマトリックスでプリコードされる、基地局から送信された１つまたはより多くの基準信号（ＲＳ）および決定されたバンドリングサイズに基づいて少なくとも１つのプリコード化チャネルを推定し、推定されたプリコード化チャネルを使用して受信されたバンドルを復号するように構成され得る。
【００３５】
[0043]  図３は、ＬＴＥにおけるＦＤＤのための例示的なフレーム構造３００を示す。ダウンリンクおよびアップリンクごとの送信タイムライン（transmission timeline）は、無線フレームの単位に分割され得る。各無線フレームは、所定の持続期間（例えば、１０ミリ秒（ｍｓ））を有し得、０〜９のインデックスを持つ１０個のサブフレームに分割され得る。各サブフレームは、２つのスロットを含み得る。したがって、各無線フレームは、０〜１９のインデクスを有する２０個のスロットを含み得る。各スロットは、Ｌ個のシンボル期間、例えば、（図２中で示されているように）ノーマルサイクリックプリフィックスに対して７個のシンボル期間、または、拡張サイクリックプリフィックスに対して６個のシンボル期間を含み得る。各サブフレームにおける２Ｌ個のシンボル期間は、０〜２Ｌ−１のインデックスが割り当てられ得る。
【００３６】
[0044]  ＬＴＥにおいて、ｅＮＢは、ｅＮＢによってサポートされるセルごとのシステム帯域幅の中心１．０８ＭＨｚのダウンリンク上でプライマリ同期信号（ＰＳＳ）およびセカンダリ同期信号（ＳＳＳ）を送信し得る。図３に示されるように、ＰＳＳおよびＳＳＳは、通常のサイクリックプレフィクスを備えた各無線フレームのサブフレーム０および５におけるシンボル期間６および５でそれぞれ送信され得る。ＰＳＳおよびＳＳＳは、セルの探索および捕捉のためにＵＥにより使用され得る。ｅＮＢは、ｅＮＢによってサポートされるセルごとのシステム帯域幅にわたるセル固有の基準信号（ＣＲＳ）を送信し得る。ＣＲＳは、各サブフレームのある特定のシンボル期間において送信され得、チャネル推定、チャネル品質測定（channel quality measurement）、および／または他の機能を実行するためにＵＥにより使用され得る。ｅＮＢは、また、ある特定の無線フレームのスロット１におけるシンボル期間０から３で物理ブロードキャストチャネル（ＰＢＣＨ：Physical Broadcast Channel）を送信し得る。ＰＢＣＨは、いくつかのシステム情報を搬送し得る。ｅＮＢは、ある特定のサブフレームにおける物理ダウンリンク共有チャネル（ＰＤＳＣＨ）でシステム情報ブロック（ＳＩＢｓ）のような他のシステム情報を送信し得る。ｅＮＢは、サブフレームの第１のＢ個のシンボル期間における物理ダウンリンク制御チャネル（ＰＤＣＣＨ）で制御情報／データを送信することができ、ここで、Ｂ個はサブフレームごとに設定可能であり得る。ｅＮＢは、各サブフレームの残りのシンボル期間におけるＰＤＳＣＨ上でトラフィックデータおよび／または他のデータを送信することができる。
【００３７】
[0045]  ＬＴＥにおけるＰＳＳ、ＳＳＳ、ＣＲＳ、およびＰＢＣＨは、「発展型ユニバーサル地上無線接続（Ｅ−ＵＴＲＡ）；物理チャネルおよび変調（Evolved Universal Terrestrial Radio Access (E-UTRA); Physical Channels and Modulation）」と称される、公的に入手可能な３ＧＰＰ ＴＳ３６．２１１において説明されている。
【００３８】
[0046]  図４は、通常のサイクリックプリフィックスを備えた、ダウンリンク用の２つの例示的なサブフレームフォーマット４１０および４２０を示す。ダウンリンクに対して利用可能な時間周波数リソースは、リソースブロックに分割され得る。各リソースブロックは、１つのスロットにおいて１２個のサブキャリアをカバーすることができ、多数のリソース要素を含み得る。各リソース要素は、１つのシンボル期間において１つのサブキャリアをカバーすることができ、１つの変調シンボルを送るために使用されることができ、変調シンボルは、実数または複素数であることができる。
【００３９】
[0047]  サブフレームフォーマット４１０は、２つのアンテナが装備されたｅＮＢのために使用され得る。ＣＲＳは、シンボル期間０、４、７、および１１におけるアンテナ０および１から送信され得る。基準信号は、送信機および受信機によって先験的（a priori）に知られている信号であり、パイロットとも称され得る。ＣＲＳは、例えば、セル識別子（ＩＤ）に基づいて生成されるセルのための固有の基準信号である。図４では、Ｒａとラベル表示される所与のリソース要素について、変調シンボルは、アンテナａからそのリソース要素上で送信されることができ、また、何れの変調シンボルも、その他のアンテナからは、そのリソース要素上で送信されることができない。サブフレームフォーマット４２０は、４つのアンテナが装備されたｅＮＢのために使用され得る。ＣＲＳは、シンボル期間０、４、７、および１１におけるアンテナ０および１から、および、シンボル期間１および８におけるアンテナ２および３から、送信され得る。サブフレームフォーマット４１０および４２０の両方について、ＣＲＳは、セルＩＤに基づいて決定され得る空間サブキャリアで均等に送信され得る。異なるｅＮＢは、それらのセルＩＤに依存して、同一のまたは異なるサブキャリア上でそれらのＣＲＳを送信し得る。サブフレームフォーマット４１０および４２０の両方について、ＣＲＳのために使用されないリソースエレメントは、データ（例えば、トラフィックデータ、制御データ、および／または他のデータ）を送信するために使用され得る。
【００４０】
[0048]  インターレース構造（interlace structure）は、ＬＴＥにおけるＦＤＤのためのダウンリンクおよびアップリンクごとに使用され得る。例えば、０〜Ｑ−１のインデックスを備えたＱ個のインターレースが定義されることができ、ここで、Ｑは４、６、８、１０、またはいくつかの他の値と等しくあり得る。各インターレースは、Ｑ個のフレームによって離れた間隔をあけられるサブフレームを含み得る。特に、インターレースｑは、サブフレームｑ、ｑ＋Ｑ、ｑ＋２Ｑ等を含むことができ、ここで、ｑ∈｛０，．．．，Ｑ−１｝である。
【００４１】
[0049]  ワイヤレスネットワークは、ダウンリンクおよびアップリンク上でのデータ送信のためのハイブリッド自動再送要求（ＨＡＲＱ）をサポートし得る。ＨＡＲＱについて、送信機（例えば、ｅＮＢ１１０）は、パケットが受信機（例えば、ＵＥ１２０）によって精確に復号される、またはいくつかの他の終了条件に遭遇するまでパケットの１つまたはより多くの送信を送り得る。同期ＨＡＲＱについて、パケットの全ての送信は、単一のインターレースのサブフレームにおいて送られ得る。非同期ＨＡＲＱについて、パケットの各送信は、任意のサブフレームにおいて送られ得る。
【００４２】
[0050]  ＵＥは、複数のｅＮＢのカバレッジ内に位置付けられ得る。これらのｅＮＢのうちの１つは、ＵＥをサービス提供するために選択され得る。サービングｅＮＢは、受信信号強度、受信信号品質、パス損失等のような、様々な基準に基づいて選択され得る。受信信号品質は、信号対干渉プラスノイズ比（ＳＩＮＲ）、または基準信号受信品質（ＲＳＲＱ）、または他の何らかのメトリックによって定量化され得る。ＵＥは、ＵＥが１つまたはより多くの干渉ｅＮＢから高い干渉を観測し得る、支配的な干渉シナリオにおいて動作し得る。
【００４３】
例示的なセル固有の基準信号干渉平均化
[0051]  ある特定のシステム（例えば、ロングタームエボリューション（ＬＴＥ）リリース１１）において、チャネル状態情報−干渉測定（ＣＳＩ−ＩＭ）リソースは、より良い干渉推定および測定のためにユーザ機器（ＵＥ）を支援することができる。ＣＳＩ−ＩＭリソースのための測定インターバルはＵＥ実現であり得る。
【００４４】
[0052]  干渉源のデータ送信により専有されたリソースに基づいて干渉が測定されるとき、測定は、干渉源のトラフィック負荷にしたがって幅広いバリエーションを示すことができる。このケースにおいて、測定された干渉は、特定のスケジュールされたサブフレームにおける干渉と良く相関されないことがある。干渉バリエーションにより引き起こされる不一致（discrepancy）を減らすために、ＵＥが測定された干渉を平均化することが有益である。
【００４５】
[0053]  しかしながら、スケジューラが干渉源のトラフィックパターンを知っているシステムにおいて、測定された干渉は測定サブフレームを干渉トラフィックの同一タイプを経験しているスケジューリングサブフレームと関連付けることにより、スケジューリングされたサブフレームと良く相関することができる。このケースにおいて、ＵＥによって測定された干渉を平均化することは有益ではない。
【００４６】
[0054]  ＵＥはそれ自体がスケジューラ（ｅＮＢ）が干渉源のトラフィックに気付いているかどうかを決定することができないため、ＵＥは、ｅＮＢからの支援なく最適な平均化ストラテジーを決定することができない。
【００４７】
[0055]  したがって、本開示のある態様にしたがうと、基地局（ｅＮＢ）はＵＥに平均化のタイプ（および／または平均化するか否か）の指示を提供し得る。いくつかの実施形態において、ｅＮＢはＣＳＩ報告についてＵＥが続くべき平均化のタイプを指示するためにシグナリングを送り得る。平均化は、干渉平均化、チャネル平均化、信号対ノイズ（ＳＮＲ）平均化、およびスペクトル効果平均化のうちの１つまたはより多くを指し得る。
【００４８】
[0056]  平均化のタイプは、時間領域平均化および周波数領域平均化のいずれかまたは両方を指示することができる。シグナリングは、専用またはブロードキャストであり、専用のシグナリングではもしかするとより効率的およびフレキシブルであり得る。
【００４９】
[0057]  効率的なシグナリングは、２つの異なる平均化モードのうちの１つを指示する、単一ビット指示であることができる。例えば、単一のビットは、ＵＥが、限定された固定の平均化（例えば、１つのサブフレームまたは１つの物理リソースブロック（ＰＲＢ））またはより制限されていない（または無制限の）平均化を使用するべきであることを指示し得る。
【００５０】
[0058]  ある特定の態様にしたがうと、ＣＳＩ−ＩＭについて、干渉は、ＵＥにシグナリングされる特定のリソース上で測定され得る。ＣＳＩ報告が、周期性およびタイミングが対象のＣＳＩ−ＩＭリソースとアラインされることができることを指示するとき、平均化指示を超えるさらなるシグナリングは使用されることができない。しかしながら、これは、例えばＵＥ報告が特定のサブフレームのみに限定され得るような、過度の制限を導入し得る。
【００５１】
[0059]  ある特定の態様にしたがうと、ｅＮＢは、報告プロセスを測定リソースのある特定のセットと関連付け、それによって報告を送る時間から測定の時間をデカップルするために、追加のシグナリングを送り得る。
【００５２】
[0060]  ある特定の態様にしたがうと、周期的なＣＳＩ測定プロセスは、無線リソース制御（ＲＲＣ）シグナリングによる測定サブフレームサブセットと関連付けられ得る。ある態様において、平均化インジケータは、ＵＥがサブフレームサブセット内で平均化するべきかどうかをさらに制御し得る。
【００５３】
[0061]  ＣＲＳベースのモードに関して、図５−８は、本開示のある特定の態様にしたがう、ＵＥリンクレベルシミュレーションのためのＣＳＩフィルタリングによって達成され得る例示的な利得を示す。図５−８は、それぞれ、物理ダウンリンク共有チャネル（ＰＤＳＣＨ）スループット対１セルＴＭ２サービング５００、１セルＴＭ６サービング６００、２セルＴＭ２サービング７００、および２セルＴＭ６サービング８００についてのＳＮＲを示す。各グラフの１つの曲線はＣＳＩフィルタリングをともなう利得５０２、６０２、７０２、８０２を示し、他の曲線はＣＳＩフィルタリングをともなわない利得５０４、６０４、７０４、８０４を示す。図５−８は、加法性白色ガウス雑音（ＡＷＧＮ）、および５０パーセント負荷を有する明示的な干渉源についての例示的なリンクレベルシミュレーション結果を示す。（時間領域における）干渉源フィルタリングは、パフォーマンスをドラスティックに増加させることが分かる。周波数領域フィルタリングは、全てのシナリオについて固定される。
【００５４】
[0062]  ＡＷＧＮ干渉源のケースでは、フィルタリングは、チャネルバリエーションを担当し、ＳＮＲ（ＣＱＩ）変形を減らすことを助け得る。これは、より高いブロックエラーレート（ＢＬＥＲ）およびより低い全体のパフォーマンスによりＣＱＩをオーバーシュートすることを防ぐことを助け得る。明示的な干渉源のケースでは、フィルタリングは、ＳＮＲ（ＣＱＩ）の変形を減らし、ＣＱＩオーバーシューティングを防ぎ得る。５０パーセント負荷のケースでは、それはチャネルおよび干渉変形を減らし得る。
【００５５】
[0063]  図９および１０は、本開示のある特定の態様にしたがう、１セルＴＭ２サービング９００および２セルＴＭ２サービング１０００についての例示的なＣＱＩヒストグラムを示す。図９および１０は各々、ＣＱＩフィルタリングをともなう利得を示す棒、およびＣＱＩフィルタリングなしの利得を示す１つの棒を含む。（高いＢＬＥＲおよびインパクトパフォーマンスをもたらし得る）高いＣＱＩ値は減らされたことが分かる。
【００５６】
[0064]  ある態様において、ＲＳベースのモードを使用して、ＣＳＩフィルタリングはチャネルおよび干渉源バリエーションを減らし、ＣＱＩがＢＬＥＲを増加させることおよびパフォーマンスを減らすことをオーバーシュートすることができるより少ないインスタンスをもたらすＳＮＲ（ＣＱＩ）変形を減らすことを助け得る。ある態様において、ＣＳＩ−ＲＳおよびＣＳＩ−ＩＭモードを使用して、ＵＥは異なる干渉構造を測定する複数のＣＳＩ報告を報告するように構成され得る。これらのケースにおいてＣＳＩをフィルタリングすることは、送信ポイント協調のレベルに大きく依拠する。
【００５７】
[0065]  密な（tight）送信点（ＴＰ）協調が広い地理的エリアにわたって実現される、ある特定の態様にしたがうと、ＵＥ ＣＳＩフィルタリングは使用されないこともある。干渉は、ネットワークにより制御され得、ＵＥはこの協調に依拠することができる。ネットワークが、ＴＰスケジューリング上でより良く決定するために任意の有意な時間または周波数フィルタリングなしでＣＳＩ報告ごとにＵＥが精確にどの干渉を見ているかを知ることが望ましくあり得る。これらのケースにおけるフィルタリングは、ＣＱＩがノイジーになり得、最新の測定を反映しないため、干渉の正確なピクチャをネットワークに与えないこともある。ある態様において、ＵＥ ＣＳＩフィルタリングは、密なＴＰ協調および最小限の制御されていない干渉が存在する、ＣＳＩ−ＲＳおよびＣＳＩ−ＩＭベースのモードに使用されないこともある。
【００５８】
[0066]  ある特定の態様にしたがうと、密なＴＰ協調が実現されないまたは協調されたマルチポイント（ＣｏＭＰ）クラスタサイズが適度（moderate）である場合、ＵＥ ＣＳＩフィルタリングはパフォーマンスを助け得る。ＣｏＭＰシナリオ１、２、３、および４において、クラスタサイズは、１、３、または９マクロセルに限定され得る。したがって、ＣｏＭＰクラスタの外の残りの干渉は、多くのＵＥに対して有意であることができる。これらのＵＥは、干渉バリエーションを制御するためにＣＳＩフィルタリングから利益を受け得る。これは、ＣＳＩフィルタリングがチャネルおよび干渉源バリエーションを減らすことによりパフォーマンスを増加させ、ネットワークに送られたＳＮＲおよびＣＱＩを制御することを助けるＣＲＳベースのモードと同様である。
【００５９】
[0067]  ある態様において、ＵＥ ＣＳＩフィルタリングは、密なＴＰ協調がないまたは有意な制御されていない干渉が存在するＣＳＩ−ＲＳおよびＣＳＩ−ＩＭベースのモードについて望ましくないことがある。
【００６０】
[0068]  ＵＥ ＣＳＩフィルタリングを有することまたは有しないことの影響は全てのケースにおいて同じではないことが分かる。フィルタリングが望ましくないケース、およびそれが望ましいケースがあり得る。これは、協調レベルおよび干渉上のネットワーク制御に依存することができる。
【００６１】
[0069]  ＣＳＩ−ＲＳおよびＣＳＩ−ＩＭベースのモードについて、ＵＥ ＣＳＩフィルタリングは特定のシナリオにおいて助けることができ、他では助けないことがある。ある態様において、ＣＳＩ−ＲＳ／ＣＳＩ−ＩＭベースのモードについて、ネットワークは干渉構造のネットワーク知識および配置に基づいて、ＵＥにフィルタリング様式をシグナリングし得る。これはＵＥが全ての条件において最大のパフォーマンスを達成することを助け得る。ある態様において、ネットワークは、干渉構造のネットワーク知識および配置に基づいて必要なフィルタリング様式を特定するシグナリング情報をＵＥに送り得る。
【００６２】
[0070]  図１１は、本開示のある特定の態様にしたがう、例示的なオペレーション１１００を示す。オペレーション１１００は、例えば、ＵＥにより実行され得る。オペレーション１１００は、チャネル状態情報（ＣＳＩ）報告に適用されるべき平均化のタイプの指示を基地局から受信することによって、１１０２において開始し得る。
【００６３】
[0071]  １１０４において、ＵＥは１つまたはより多くのサブフレームで受信される基準信号を測定し得る。
【００６４】
[0072]  １１０６において、ＵＥは指示された平均化のタイプおよび測定値に基づいてＣＳＩ報告を生成し得、１００８において報告を送り得る。
【００６５】
[0073]  図１２は、本開示のある態様にしたがう、例示的なオペレーション１２００を示す。オペレーション１２００は、例えば基地局により実行され得る。オペレーション１２００は、１２０２において、チャネル状態情報（ＣＳＩ）報告に適用されるべき平均化のタイプの指示をユーザ機器（ＵＥ）に送信することによって開始し得る。
【００６６】
[0074]  １２０４において、ＢＳは、指示された平均化のタイプおよび基準信号測定値に基づいて生成されたＣＳＩ報告をＵＥから受信し得る。
【００６７】
[0075]  上述したように、どの平均化のタイプを使用するかの指示は、時間領域平均化、周波数領域平均化、または平均化しないことを指示し得る。さらに、指示は、干渉平均化、チャネル平均化、信号対雑音比（ＳＮＲ）平均化、またはスペクトル効率平均化のうちの少なくとも１つを指示し得る。
【００６８】
[0076]  指示は、様々な方式でシグナリングされ得る。いくつかのケースにおいて、指示はＣＳＩ報告構成の一部として送られ得る。いくつかのケースにおいて、別個の指示が異なる干渉測定リソース（ＩＭＲ）について独立して提供され得る。指示は、基地局からブロードキャストまたは専用のシグナリングを介して提供され得る。異なる指示が、同一の干渉測定リソース（ＩＭＲ）について異なるＣＳＩプロセスに提供され得る。
【００６９】
[0077]  さらに、異なる指示が、サブフレームの異なるサブセットに独立して適用されるように異なる平均化のタイプに提供され得る。例えば、サブセットにおけるサブフレームは、対応する干渉基地局のトラフィック負荷に少なくとも部分的に基づいて選択され得る。
【００７０】
[0078]  上述したように、指示は２つの平均化モードのうちの１つを指示する単一ビットとして提供され得る。２つの平均化モードは、平均化が制限された範囲のリソースにわたって適用される固定された平均化モード、および平均化がより広い範囲のリソースにわたって適用されるより限定されない平均化モードを含み得る。
【００７１】
[0079]  いくつかのケースにおいて、指示は報告プロセスを測定リソースのある特定のセットと関連付け得る。例えば、指示は周期的ＣＳＩ測定プロセスを測定サブフレームサブセットと関連付け得る。
【００７２】
[0080]  上述した方法の様々な動作は、対応する機能を実行することができる任意の適切な手段によって実行され得る。手段は、これらに限定されないが、回路、特定用途向け集積回路（ＡＳＩＣ）、または、プロセッサを含む、様々なハードウェアおよび／または（１つまたは複数の）ソフトウェア／ファームウェアコンポーネントおよび/または（１つまたは複数の）モジュールを含み得る。一般に、図面に例示された動作が存在する場合、これらの動作は、任意の適切な対応する相当のｍｅａｎｓ−ｐｕｌｓ−ｆｕｃｔｉｏｎコンポーネントによって実行され得る。
【００７３】
[0081]  開示された処理におけるステップの特定の順序または階層は、例示的なアプローチの一例であるということが理解されるべきである。設計の選択に基づいて、これら処理におけるステップの具体的な順序または階層は、本開示の範囲内にとどまりながら再配置され得ることが理解されるべきである。添付の方法の請求項は、例示的な順序で様々なステップのエレメントを提示しているが、提示された特定の順序または階層に限定されることを意図するものではない。
【００７４】
[0082]  当業者は、情報および信号が、様々な異なる技術および技法のいずれかを使用して表され得ることを理解するだろう。例えば、上記説明の全体にわたって参照され得るデータ、命令、コマンド、情報、信号、ビット、シンボル、およびチップは、電圧、電流、電磁波、磁場または磁性粒子、光場または光粒子、あるいはこれらの組み合わせによって表され得る。
【００７５】
[0083]  当業者はさらに、ここでの開示に関連して説明された様々な例示的な論理ブロック、モジュール、回路、およびアルゴリズムのステップが、電子ハードウェア、ソフトウェア／ファームウェア、または両者の組み合わせとして実現され得ることを理解するだろう。ハードウェアおよびソフトウェアのこの互換性を明確に説明するために、様々な例示的なコンポーネント、ブロック、モジュール、回路、およびステップが、それらの機能の観点で一般的に上述されている。このような機能が、ハードウェアとして実現されるか、あるいはソフトウェア／ファームウェアとして実現されるかは、特定のアプリケーションおよびシステム全体に課せられる設計制約に依存する。当業者は、説明された機能を、特定の用途ごとに異なる手法で実現することができるが、そのような実現の決定は、本開示の範囲からの逸脱を生じるものとして解釈されるべきではない。
【００７６】
[0084]  ここでの開示に関連して説明された、様々な例示的な論理ブロック、モジュール、および回路は、ここで説明された機能を実行するように設計された、汎用プロセッサ、デジタルシグナルプロセッサ（ＤＳＰ）、特定用途向け集積回路（ＡＳＩＣ）、フィールドプログラマブルゲートアレイ（ＦＰＧＡ）、または他のプログラマブル論理デバイス、離散ゲートまたはトランジスタ論理、離散ハードウェアコンポーネント、またはそれらの任意の組み合わせを用いて、実現または実行され得る。汎用プロセッサはマイクロプロセッサであり得るが、代替で、プロセッサは任意の従来のプロセッサ、コントローラ、マイクロコントローラ、もしくはステートマシンであり得る。プロセッサはまた、コンピューティングデバイスの組み合わせ、例えば、ＤＳＰとマイクロプロセッサとの組み合わせ、複数のマイクロプロセッサ、ＤＳＰコアと結合された１つまたはより多くのマイクロプロセッサ、または任意の他のそのような構成として、実現され得る。
【００７７】
[0085]  ここでの開示に関連して説明された方法またはアルゴリズムのステップは、ハードウェアで直接的に、プロセッサによって実行されるソフトウェア／ファームウェアモジュールで、またはそれらの組み合わせで具現化され得る。ソフトウェア／ファームウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバルディスク、ＣＤ−ＲＯＭ、または当該技術分野において周知のその他任意の形状の記憶媒体内に存在し得る。例示的な記憶媒体は、プロセッサが記憶媒体から情報を読み取ったり、記憶媒体に情報を書き込んだりできるように、プロセッサに結合されている。あるいは、記憶媒体は、プロセッサに組み込まれ得る。プロセッサおよび記憶媒体は、ＡＳＩＣの中に存在し得る。ＡＳＩＣは、ユーザ端末に存在し得る。代替において、プロセッサおよび記憶媒体は、ユーザ端末中にディスクリートコンポーネントとして存在し得る。
【００７８】
[0086]  １つまたはより多くの例示的な設計において、説明された機能は、ハードウェア、ソフトウェア、ファームウェア、またはそれらの任意の組み合わせで実現され得る。ソフトウェアで実現される場合、機能は、コンピュータ読取可能媒体上で、１つまたはより多くの命令またはコードとして、記憶または伝送され得る。コンピュータ読取可能媒体は、ある場所から別の場所へのコンピュータプログラムの転送を容易にする任意の媒体を含む通信媒体とコンピュータ記憶媒体との両方を含む。記憶媒体は、汎用または特殊用途コンピュータによってアクセスされることができる任意の利用可能な媒体であり得る。限定ではなく例として、そのようなコンピュータ読取可能媒体は、ＲＡＭ、ＲＯＭ、ＥＥＰＲＯＭ、ＣＤ−ＲＯＭ、または他の光ディスク記憶装置、磁気ディスク記憶装置、または他の磁気記憶デバイス、または、命令またはデータ構造の形態で所望のプログラムコード手段を搬送または記憶するために使用されることができ、かつ、汎用または特殊用途コンピュータ、または汎用または特殊用途プロセッサによってアクセスされることができる任意の他の媒体を備え得る。また、任意の接続は、コンピュータ読取可能媒体と厳密には称される。例えば、ソフトウェアが、ウェブサイト、サーバ、または他のリモートソースから、同軸ケーブル、光ファイバーケーブル、ツイストペア、デジタル加入者回線（ＤＳＬ）、または赤外線、無線、およびマイクロ波のようなワイヤレス技術を使用して伝送される場合、同軸ケーブル、光ファイバーケーブル、ツイストペア、ＤＳＬ、または赤外線、無線、およびマイクロ波のようなワイヤレス技術は、媒体の定義に含まれる。ここで使用される場合、ディスク（disk）およびディスク（disc）は、コンパクトディスク（ＣＤ）、レーザーディスク（登録商標）、光ディスク、デジタル多目的ディスク（ＤＶＤ）、フロッピー（登録商標）ディスクおよびブルーレイ（登録商標）ディスクを含み、ここでディスク（disk）は、通常磁気的にデータを再生し、一方ディスク（disc）は、レーザーを用いて光学的にデータを再生する。したがって、いくつかの態様では、コンピュータ読取可能媒体は、非一時的なコンピュータ読取可能媒体（例えば、有体的媒体）を備え得る。さらに、他の態様では、コンピュータ読取可能媒体は、一時的なコンピュータ読取可能媒体（例えば、信号）を備え得る。上記の組み合わせは、また、コンピュータ読取可能媒体の範囲内に含まれるべきである。
【００７９】
[0087]  本明細書において使用される場合、項目のリスト「のうちの少なくとも１つ」というフレーズは、単一の要素を含む、それらの項目の任意の組み合わせに言及するものである。例として、「ａ、ｂ、またはｃのうちの少なくとも１つ」は、ａ、ｂ、ｃ、ａ−ｂ、ａ−ｃ、ｂ−ｃ、およびａ−ｂ−ｃを含むことを意図する。
【００８０】
[0088]  本開示の先の説明は、本開示を製造または使用することをいずれの当業者にも可能にさせるために提供されている。本開示に対する様々な変更は、当業者に容易に理解され、本明細書において定義された一般的な原理は、本開示の精神または範囲から逸脱することなく、他の変形例に適用されることができる。したがって、本開示は、本明細書において説明された例および設計に限定されることは意図せず、本明細書に開示された原理および新規な特徴と一致する最も広い範囲が付与されるべきである。
以下に、本願出願の当初の特許請求の範囲に記載された発明を付記する。
［Ｃ１］
チャネル状態情報（ＣＳＩ）報告に適用されるべき平均化のタイプの指示を基地局から受信することと、
１つまたはより多くのサブフレームにおいて受信される基準信号を測定することと、
前記指示された平均化のタイプおよび前記測定値に基づいてＣＳＩ報告を生成することと、および、
前記ＣＳＩ報告を送ることと、
を備える、ユーザ機器（ＵＥ）によるワイヤレス通信のための方法。
［Ｃ２］
前記指示は、時間領域平均化または周波数領域平均化のうちの少なくとも１つを指示する、Ｃ１に記載の方法。
［Ｃ３］
前記指示は、任意の平均化のタイプが全てにおいて適用されるべきであるかどうかの指示を備える、Ｃ１に記載の方法。
［Ｃ４］
前記指示は、干渉平均化、チャネル平均化、信号対ノイズ比（ＳＮＲ）平均化、またはスペクトル効率平均化のうちの少なくとも１つの指示を備える、Ｃ１に記載の方法。
［Ｃ５］
前記指示は、ＣＳＩ報告構成の一部として受信される、Ｃ１に記載の方法。
［Ｃ６］
前記指示は、異なる干渉測定リソース（ＩＭＲｓ）に関して独立して提供される、Ｃ１に記載の方法。
［Ｃ７］
前記指示は、前記基地局からブロードキャストまたは専用シグナリングのうちの少なくとも１つを介して提供される、Ｃ１に記載の方法。
［Ｃ８］
異なる指示が、同一の干渉測定リソース（ＩＭＲ）のための異なるＣＳＩプロセスに関して提供される、Ｃ１に記載の方法。
［Ｃ９］
異なる指示が、サブフレームの異なるサブセットに対して独立して適用されるべき異なる平均化のタイプに関して提供される、Ｃ１に記載の方法。
［Ｃ１０］
サブセット中のサブフレームは、対応する干渉基地局のトラフィック負荷に少なくとも部分的に基づいて選択される、Ｃ９に記載の方法。
［Ｃ１１］
前記指示は、２つの平均化モードのうちの１つを示す単一ビットとして提供される、Ｃ１に記載の方法。
［Ｃ１２］
前記２つの平均化モードは、
固定の平均化モードと、ここにおいて、平均化はリソースの限定された範囲にわたって適用される、および、
より限定されない平均化モードと、ここにおいて、平均化はリソースのより広い範囲にわたって適用される、
を備える、Ｃ１１に記載の方法。
［Ｃ１３］
ＣＳＩ報告に適用されるべき平均化のタイプの前記指示を前記基地局から受信することは、
報告プロセスを測定リソースの特定のセットと関連付けるためのシグナリングを、前記基地局から受信すること、
を備える、Ｃ１に記載の方法。
［Ｃ１４］
前記シグナリングは、周期的なＣＳＩ測定プロセスを測定サブフレームサブセットと関連付ける、Ｃ１３に記載の方法。
［Ｃ１５］
チャネル状態情報（ＣＳＩ）報告に適用されるべき平均化のタイプの指示をユーザ機器（ＵＥ）に送信することと、および、
前記指示された平均化のタイプおよび基準信号測定値に基づいて生成されたＣＳＩ報告を前記ＵＥから受信することと、
を備える、基地局（ＢＳ）によるワイヤレス通信の方法。
［Ｃ１６］
前記指示は、時間領域平均化または周波数領域平均化のうちの少なくとも１つを指示する、Ｃ１５に記載の方法。
［Ｃ１７］
前記指示は、任意の平均化のタイプが全てにおいて適用されるべきであるかどうかの指示を備える、Ｃ１５に記載の方法。
［Ｃ１８］
前記指示は、干渉平均化、チャネル平均化、信号対ノイズ比（ＳＮＲ）平均化、またはスペクトル効率平均化のうちの少なくとも１つの指示を備える、Ｃ１５に記載の方法。
［Ｃ１９］
指示は、ＣＳＩ報告構成の一部として送信される、Ｃ１５に記載の方法。
［Ｃ２０］
前記指示は、異なる干渉測定リソース（ＩＭＲｓ）に独立して提供される、Ｃ１５に記載の方法。
［Ｃ２１］
前記指示は、前記基地局からブロードキャストまたは専用シグナリングの少なくとも１つを介して提供される、Ｃ１５に記載の方法。
［Ｃ２２］
異なる指示が、同一の干渉測定リソース（ＩＭＲ）のための異なるＣＳＩプロセスに提供される、Ｃ１５に記載の方法。
［Ｃ２３］
異なる指示が、サブフレームの異なるサブセットに独立して適用されるべき異なる平均化のタイプに提供される、Ｃ１５に記載の方法。
［Ｃ２４］
サブセット中のサブフレームは、対応する干渉基地局のトラフィック負荷に少なくとも部分的に基づいて選択される、Ｃ２３に記載の方法。
［Ｃ２５］
前記指示は、２つの平均化モードのうちの１つを示す単一ビットとして提供される、Ｃ１５に記載の方法。
［Ｃ２６］
前記２つの平均化モードは、
固定の平均化モードと、ここにおいて、平均化はリソースの限定された範囲にわたって適用される、および、
より限定されない平均化モードと、ここにおいて、平均化はリソースのより広い範囲にわたって適用される、
を備える、Ｃ２５に記載の方法。
［Ｃ２７］
ＣＳＩ報告に適用されるべき平均化のタイプの前記指示を送信することは、
報告プロセスを測定リソースの特定のセットと関連付けるためのシグナリングを、前記ＵＥに送信すること、
を備える、Ｃ１５に記載の方法。
［Ｃ２８］
前記シグナリングは、周期的なＣＳＩ測定プロセスを測定サブフレームサブセットと関連付ける、Ｃ２７に記載の方法。
［Ｃ２９］
チャネル状態情報（ＣＳＩ）報告に適用されるべき平均化のタイプの指示を基地局から受信するための手段と、
１つまたはより多くのサブフレームにおいて受信される基準信号を測定するための手段と、
前記指示された平均化のタイプおよび前記測定値に基づいてＣＳＩ報告を生成するための手段と、および、
前記ＣＳＩ報告を送るための手段と、
を備える、ユーザ機器（ＵＥ）によるワイヤレス通信のための装置。
［Ｃ３０］
チャネル状態情報（ＣＳＩ）報告に適用されるべき平均化のタイプの指示をユーザ機器（ＵＥ）に送信するための手段と、および、
前記指示された平均化のタイプおよび基準信号測定値に基づいて生成されたＣＳＩ報告を前記ＵＥから受信するための手段と、
を備える、基地局（ＢＳ）によるワイヤレス通信の装置。
【図１】
0006396328.tif 000002
【図２】
0006396328.tif 000003
【図３】
0006396328.tif 000004
【図４】
0006396328.tif 000005
【図５】
0006396328.tif 000006
【図６】
0006396328.tif 000007
【図７】
0006396328.tif 000008
【図８】
0006396328.tif 000009
【図９】
0006396328.tif 000010
【図１０】
0006396328.tif 000011
【図１１】
0006396328.tif 000012
【図１２】
0006396328.tif 000013